(57)【特許請求の範囲】
【請求項１】
固定床と、該固定床の上方にあって、且つ該固定床との間に所定の間隔を有して設けられている移動可能な第１及び第２の可動床とからなり、これらの可動床が夫々１つの部屋の床面全体を形成し、且つ、該床全体が水平移動可能に構成されている床構造において、少なくとも一方の可動床が上下動可能に構成され、可動床の上下動が、該可動床の下部に配置されている互いに独立に作動できるように構成された複数の上下動機構によって行なわれ、該上下動機構が、夫々に、同時に作動及び停止できるように制御されている昇降用モータと可動床の上下動を可能にするアームとを有し、該アームに可動床を水平方向に移動するための車輪が取り付けられており、上記第１及び第２の可動床の左右の位置が入れ替え可能であることを特徴とする床構造。
【請求項２】
請求項１に記載の床構造を有することを特徴とする建築物。
【請求項３】
固定床と可動床との間隔に大型収納庫が形成されている請求項２に記載の建築物。
【発明の詳細な説明】
【０００１】
【発明の属する技術分野】
本発明は、床構造及びこれが設けられている建築物に関する。
【０００２】
【従来の技術】
従来より、狭い国土を集約的に利用している我が国においては、限られたスペースを効率的に使用し、多くの生活用品や業務用品の収納場所を確保し、しかも広い生活空間や作業空間を確保した建築物が望まれている。
【０００３】
これに対し、特開平３−４３５４４号公報に、コンクリートスラブの上面に梁を設け、この梁の上に床材を支持させて（逆梁コンクリートスラブ）、コンクリートスラブの上面と床材との間に床下空間を形成した建築物の床構造が開示されており、該空間を、生活用品等を収納する収納庫や、各種配管や機材を収納する場所とすることが提案されている。又、特開平７−２６９００５号公報に、部屋全体の床を水平に移動可能に構成し、該可動床を隣接するスキップフロアの上部に移動させて、可動床の下部を開口してその空間部分を収納庫や部屋として利用する住宅が記載されている。
更に、特開平８−３２６２７１号公報及び特開平９−１７７２２１号公報には、隣接する２部屋の床全体を夫々水平方向に移動可能な可動床とし、一方の床を他方の床の上に重ねることで夫々の床の下部を有効に利用できるようにした二重構造の床構造及びこれを利用した建築物が開示されている。かかる床構造を利用した住宅では、大容量の収納スペースが確保されるのみならず、多様な使用形態の生活空間を実現することが可能となる。
【０００４】
しかしながら、上記した可動床を有する住宅では、その構造上、どうしても、２枚の可動床を同一の水平レベルとできず、隣接する部屋の床面の間に段差を生じ、安全面での問題があり、且つ、床を可動としたことによって多様な使用形態を実現できるものの、隣接する２部屋の間に間仕切りを設けることができないといった使い勝手の面からの問題もあった。これに対し、出願人は、既に特開２０００−２７３４８号公報において、これらの問題を解消することのできる床全体が水平方向に移動できると共に、上下方向にも移動可能に構成されている二重構造の床構造、及び、これを利用した建築物を提案している。そして、その中で、床全体を上下方向に移動する具体的な方法を種々提案している。
【０００５】
【発明が解決しようとする課題】
しかしながら、上記で提案した床全体を、水平方向及び上下方向に移動可能にする方法は、いずれも煩雑であり、部品数が多く、各部材の調整が難しい等、一般の住居に適用して実用化するには改良すべき点があった。
従って、本発明の目的は、上記従来技術の問題点を解決し、集合住宅等の高層建築物や一戸建ての家屋等の建築物において、限られたスペースを可能な限り有効に利用でき、特に、使い勝手に優れ、更に安全性についても何ら問題のない床構造、及び、これを有する建築物を提供することにある。又、本発明の目的は、構造が簡単で設置が容易で、しかも、設置後の維持・管理も容易な、一般の住居に充分に適用可能な経済性に優れる床構造、及び、これを有する建築物を提供することにある。
【０００６】
【課題を解決するための手段】
上記の目的は、下記の本発明によって達成される。即ち、本発明は、固定床と、該固定床の上方にあって、且つ該固定床との間に所定の間隔を有して設けられている移動可能な第１及び第２の可動床とからなり、これらの可動床が夫々１つの部屋の床面全体を形成し、且つ、該床全体が水平移動可能に構成されている床構造において、少なくとも一方の可動床が上下動可能に構成され、可動床の上下動が、該可動床の下部に配置されている互いに独立に作動できるように構成された複数の上下動機構によって行なわれ、該上下動機構が、夫々に、同時に作動及び停止できるように制御されている昇降用モータと可動床の上下動を可能にするアームとを有し、該アームに可動床を水平方向に移動するための車輪が取り付けられており、上記第１及び第２の可動床の左右の位置が入れ替え可能であることを特徴とする床構造である。又、本発明は、これらの床構造を有することを特徴とする建築物である。その好ましい形態としては、固定床と可動床との間隔に大型収納庫が形成されている建築物が挙げられる。
【０００７】
【発明の実施の態様】
以下、本発明の好ましい実施態様を挙げて、図面に基づいて本発明を更に詳細に説明する。
本発明者は、上記した従来技術の課題を解決すべく、一部屋の床面全体を、水平方向及び上下方向に移動可能にするためのより簡易で、しかも保守・管理が容易な機構について鋭意検討した結果、可動床の上下動の機構を、可動床の下部に互いに独立に作動できる、例えば、複数の昇降用モータを配置することにより行なって、更に、これらの昇降用モータに連結されている可動床を水平方向に移動するための車輪を可動床内に格納できるように構成すれば、特開２０００−２７３４８号公報に記載されている従来の走行路を上下動させたり、ウォームギア、ウォームホイル及びアーム等によって上下動させるといった機構と異なり、部品数が少なくて構造が単純であり、しかも、個々の上下動機構が互いに独立であるため、設置が容易で、各部材の調整や保守・管理が容易であり、一般の住居に適用して充分に実用化できるものとなることを知見して本発明に至った。かかる本発明の床構造の構成によれば、広い収納場所や生活空間を確保することができ、使用時においては、２枚の可動床同士の間に段差を生じることがないので、安全で使い勝手に優れた生活空間が得られ、更に、２枚の可動床の左右の位置を交換することで、より多様な生活空間を実現できる建築物を得ることができる。
【０００８】
本発明の床構造は、従来公知の、床全体の水平移動と上下動とが可能であるように構成された可動床の上下動機構を改良したものであり、可動床に、互いに独立に作動できる上下動機構が複数設けられ、しかもこれらが互いに独立に作動し、複数の上下動機構に夫々設けられている可動床を水平方向に移動するための車輪が可動床内に格納できるように構成されていることを特徴とする。以下、本発明の床構造を特徴づける可動床に設けられた上下動機構について説明する。
【０００９】
上記可動床は、例えば、６畳や４畳半といった広さの部屋の床全体を水平方向に移動可能にしたものであるため、軽量の材料を用いたとしても、かなりの重量物となる。このため、簡易な機構で可動床を円滑に水平移動及び上下動させることができ、しかも、その上で生活した場合に、床のガタツキがなく安定であるようにすることは、実際問題としては非常に困難である。
【００１０】
これに対し、前記したように、本発明者らは既に可動床を円滑に上下動させる機構として、可動床の下面に設けられた車輪の走行路となる部分に、隣接する部屋の床構造体等を構成している板構造体の少なくとも厚み分だけ上下動できる機構を付加する方法や、ウォームギアの回転を、ウォームホイルを介して可動床を支えている各アームの回転に伝播させることで、これらのアームの端部に設けられている車輪を水平方向に移動できるように構成し、各アームを容易に折り畳んだ状態、或いは各アームが立った状態にすることができる可動床の上下動を簡便に行なうことができる方法を提案している。特に後者の方法によれば、ウォームギアに取り付けたハンドルを手動で回すだけの簡単な操作で、重量物である可動床自体を、容易に且つ円滑に上下動させることが可能となる。
【００１１】
しかしながら、これらの機構は、かなり簡便であるものの、走行路或いは可動床を上下動させるための機構が、いずれも物理的に連結された一体なものとして構成されているため、一部の機能が損なわれた場合においても、全てを調整し直さなければならず、設置の際はもとより、保守・管理が容易ではなく、一般住宅に適用するには問題があった。これに対し、本発明における可動床の上下動機構は、互いに独立に作動できるように構成されている複数の上下動機構よりなるため、個々に設置及び保守・管理することができる。以下、本発明で使用する上下動機構について、図を参照しながら詳細に説明する。
【００１２】
本発明の床構造は、水平に移動可能な第１及び第２の可動床からなるが、その一例として、隣接する２部屋の床を夫々水平に移動できるようにした構成を挙げて説明する。
図１は、本発明の床構造の一例を模式的に示した縦断面図であり、図２は、その横断面図である。又、図３は、可動床１及び２が入れ換わる様子を説明するための図である。図４は、本発明で使用する可動床の下部に複数設ける上下動機構３の一つを説明するための分解斜視図であり、図５は、可動床における上下動機構の取り付け状態と、その動きを説明するための概略図である。又、図６は、上下動機構をより詳細に説明するための概略図である。
【００１３】
図１及び３に例示した本発明の床構造では、第１及び第２の可動床が隣接して設けられており、これらの可動床が、夫々１つの部屋の床面全体を形成し、且つ、該床全体が水平移動可能に構成され、更に、少なくともその一方が（図１及び３では可動床２が該当）、上下動可能に構成されている。この上下動機構は、可動床に複数設けられているが、それらが互いに独立に作動するように構成され、更に、これらの上下動機構の夫々に設けられている可動床を水平方向に移動するための車輪が可動床内に格納できるように構成されている。この結果、本発明の床構造では、図１及び３に示したように、第１及び第２の可動床の左右の位置を容易に入れ換えることが可能となる。
【００１４】
以下に、第２の可動床に複数設けられている上下動機構について説明する。図４に、本発明で好適に使用できる上下動機構３を説明するための概略説明図を示したが、かかる上下動機構３は、可動床を水平方向に移動可能にするための車輪と、可動床の水平位置を上下に変動させることができるようにするための一定の長さを有するアームと、該アームに回転運動をさせるためのモータとから構成されている。アームの回転は、モーターの回転に連動して回転するように構成された回転軸にアームを固着することで、実現される。図５に、車輪、アーム及び回転軸の関係を示す概略図の一例を示した。図５からも明らかなように、モータの回転が回転軸へと伝達され、該回転軸に固着されているアームが回転し、その回転に伴って可動床が上下動することになる。
【００１５】
即ち、図６（ａ）に示したように、アームが矢印方向に回転すると、上下動機構３の上部の水平位置は下がることになる。可動床の底部には、このような上下動機構３が複数設けられている。本発明では、可動床の下部に取り付けられている複数の上下動機構３において、上記したアームの回転が同時に行なわれるように制御することで、これらの上下動機構３に固着されている可動床を、図６（ａ）に示したように下降させることを可能に構成する。
【００１６】
具体的には、図４に示したモータとして、例えば、三相のモータを使用し、複数のモータを同時に制御し、インバータによって、これら複数のモータの回転数やトルクを制御することで複数のモータのアームが同時に同じ角度だけ回転するように構成すれば、可動床２を、各部分の水平位置が同一となる状態を保ったままで円滑に上下動させることができる。三相のモータとしては、大きさがφ７０ｍｍ×１００ｍｍ程度であり、出力が４０Ｗの小型モータで、騒音が小さく、減速比が１／２４０のものを使用することが好ましい。又、アームの長さとしては、隣接する可動床１の厚みにもよるが、アームの回転によって、少なくとも可動床１の厚み分以上、可動床２の水平位置を上下動することができるように構成する必要がある。例えば、可動床１の厚みが８０ｍｍである場合には、少なくとも８５ｍｍ以上、可動床２の水平位置を上下動できるように構成する必要がある。
【００１７】
本発明の床構造を構成する可動床は、１つの部屋の床面全体を形成し、且つ、該床全体が水平方向へ移動できる構造のものであれば、いずれのものでもよい。しかし、本発明で使用する可動床は、水平方向に移動できるのみならず、先に説明した機構等によって上下動できるように構成するため、できるだけ、軽い材料で厚みが薄くなるように形成されたものであることが好ましい。本発明においては、可動床を、例えば、特開平９−２９６５５３号公報や特開平１０−１５２９７１号公報に記載されている、軽量の木製の合板やアルミパネル、又は、２枚の木製板或いは合成樹脂板の間にハニカム状パネルが挟持されているハニカム構造体といった板体部の上に、畳や、絨毯や木製等の床材からなる床面部を積層する等して形成したものを使用することが好ましい。
【００１８】
特に好ましいものとしては、本発明の床構造を構成する可動床を、特開平１０−１５２９７１号公報に記載されている、パネル構成部と、該パネル構成部と一体に形成されているパネル構成部を相互に連結するための連結部とを有する構造用部材を少なくとも有し、上記構造用部材のパネル構成部が、上下の位置で略平行に対峙している２枚の板と、該２枚の板と一体に形成されている２枚の板の間に斜めに掛け渡された補強部材とからなり、且つ、連結部の形状が、パネル構成部の長手方向を上下の位置で相互に連結する構造を有する移動式の床構造体で形成することが好ましい。特に、上記構造用部材が、１〜５ｍｍのアルミニウム製又は強化プラスチック製の板で形成されている軽量化した態様のものが好ましい。更に、水平方向に移動できるようにするためには、上記構造用部材の裏面側に車輪構造体が直接設置されている構成のものを用いることが好ましい。
【００１９】
又、本発明の床構造を構成する可動床の水平方向へ移動する動力としては、手動であっても電動であってもよい。電動とする際には、特開平９−１７７２２１号公報や１０−１５２９７１号公報に記載されているような方式を用いることができる。例えば、構造用部材の裏面側又は側面側にラックギアと複数の車輪とが配置され、該ラックギアの歯が固定床に固定して設けられている駆動用モータの回転軸に取りつけられているピニオンギアの歯と噛み合わされて、可動床体がこれらのギア及びモータを介して固定床に固定される一方、電動スイッチを入れて駆動電源に通電して駆動用モータを回転させると、該回転がピニオンギアの回転に伝達され、更にピニオンギアを介してラックギアの水平運動に伝達され、更に該水平運動に伴って上記複数の車輪が回転運動し、可動床体全体が水平方向に自動的に移動する方式を適用することが好ましい。
【００２０】
本発明で使用する第１及び第２の可動床は、いずれにしても、床面の裏面側に複数の車輪が設けられて、可動床を水平方向に自在に移動できるように構成されるが、可動床に取り付ける車輪の数や、車輪部分の構造は、従来公知のものをいずれも使用できる。更に、可動床を水平方向や上下動させる際における手を挟むといったことに対する安全対策としては、上記に挙げた公報に記載されている公知の方法を適宜に用いればよい。
【００２１】
【実施例】
次に、実施例を挙げて本発明を更に詳細に説明する。
【００２２】
本実施例では、図８に示したような、パネル構成部Ｐと、該パネル構成部Ｐと一体的に形成されている連結部Ｋとからなる長尺の建築用部材（図８（ｃ）参照）である構造用部材を使用する。該パネル構成部Ｐには、厚みが２ｍｍ程度の薄いアルミニウム等の軽量金属板からなり、補強部材３０の側面構造が、底辺が約１００ｍｍで高さが約６０ｍｍの２等辺三角形が組み合わされた形状を形作るもの（図８参照）を使用示した。かかる補強部材３０を有する、長さ約２，３００ｍｍ、パネル構成部Ｐの幅が約２００ｍｍの１枚の構造用部材は、その重量が約１０ｋｇと非常に軽いものであるにもかかわらず、中心に１００ｋｇの荷重を加えても、約１．８ｍｍ程度しか撓むことがない。
【００２３】
本実施例で使用する構造用部材１０は、図８（ａ）及び（ｃ）に示したように、その両端側に続けて一体的に突起状の連結部Ｋが形成されており、構造用部材１０の長手部分を上下の位置で互いに結合することが出来る構造となっている。図７に示したように、本実施例では、上記で説明したような形状を有する構造用部材１０を複数枚並列に連結することによって、可動床の芯材パネルＡを形成する。本実施例では、１３枚の構造用部材１０を連結して２，３００×３，０００ｍｍの広さを有する芯材パネルを２枚形成した。上記の芯材パネル部Ａは、厚みが薄くても非常に強度が強く、且つ、耐久性に富み、更に撓みや振動を生じない優れたものである。
【００２４】
次に、上記のようにして形成した芯材パネル部分Ａの上に、図７（ａ）に示したな畳材からなる床材Ｃを乗せ、更に、芯材パネル部分Ａの上面の周囲に木製の枠１１を配置し、床材Ｃが乗せられた場合に額縁状となって床材Ｃが固定されるようにして、畳敷きの可動床１を作製した。もう一方の芯材パネル部分Ａの上にはフローリングからなる床材を乗せて板敷きの可動床２を作製した。尚、本実施例では、床材を畳及びフローリングの組み合わせとしたが、これに限定されず、床材を、各種合成樹脂シートや絨毯等で構成してもよい。
【００２５】
更に、上記で得られた可動床１の下部の長手方向の床面とは反対の裏面側に、図７（ｃ）に示したようにして車輪を夫々８個ずつ取り付けて、水平方向に手動で移動できるようにした。更に、可動床２には、アルミニウム製の芯材パネルの長手方向の両側壁近傍の下部に、図４〜６に示した構造の上下動機構を、等間隔に、図６に示したようにして４個ずつ、合計８個取り付けた。この際、上下動機構を構成するモータには、日精工業（株）社製の３相モータ（型番Ｆ２ＳＭ−１２−２４０）を使用した。
【００２６】
上記８個のモータは、ペアーのケーブルで接続して、該ケーブルを制御装置に繋ぎ、図５に示したような状態でモータに取り付けられているアームが、同時に且つ一定の角度だけ回転するように構成した。更に、制御装置によってモータを動かす方式としては、先ず、電源を入れるとブザーが鳴るようにして、可動床が上下動を開始することを予め知らせるようにした。更に、制御装置には、起動ボタン、下降ボタン及び上昇ボタンの３個のボタンを設け、起動ボタンと、下降ボタン或いは上昇ボタンとを同時に押し続けた場合のみに可動床２が上下動するように構成し、誤作動によって急に可動床２が上下動しないようにした。
【００２７】
上記のようにして作製した可動床１及び２を、実際に一戸建ての家屋の１階部分に適用した。その際、先ず、通常の固定床の床面から７０ｃｍ下部に木製の固定床を設け、該固定床から約７０ｃｍ上側に上記した構造の可動床１及び２を設置して、向かって右側が畳の部屋で、左側がフローリングからなる２間続きの部屋を形成した。得られた建築物は、２枚の可動床の隣接部分に段差はなく、又、床がガタツクこともなく快適に生活を送ることができた。更に、これらの可動床の下部は、高さ７０ｃｍ程度の広さが合計で１０畳以上の収納庫が形成されており、大きなものを含んで大量の家財道具を収納することができた。収納した家財道具の出し入れは、いずれかの可動床を水平方向に必要なだけ移動することで容易にできた。又、得られた建築物は、床材が畳の可動床１と床材がフローリングの可動床２の左右の位置を、季節や行事や生活状態等に応じて、適宜に且つ容易に換えることができるので、非常に便利であり、より快適な状態での生活が可能となった。又、本発明によれば、構造が簡単で設置が容易で、しかも、設置後の維持・管理も容易な、一般の住居に充分に適用可能な経済性に優れる床構造、及び、これを有する建築物が提供される。
【００２８】
【発明の効果】
以上説明した様に、本発明によれば、集合住宅等の高層建築物や一戸建て住宅等の建築物において、限られたスペースを可能な限り有効に利用することができ、多様な使用状況に適宜に応じることが可能であり、更に、使い易さや安全性についても何ら問題のない床構造、これを用いた建築物が提供される。
【図面の簡単な説明】
【図１】本発明の床構造の一例を模式的に示した縦断面図である。
【図２】図１に示した本発明の床構造の一例の横断面図である。
【図３】可動床１及び２が入れ換わる様子を説明するための図である。
【図４】可動床の下部に設ける上下動機構を説明するための分解斜視図である。
【図５】可動床における上下動機構の取り付け状態と、その動きを説明するための概略図である。
【図６】可動床の下部に設ける上下動機構を説明するための断面図である。
【図７】本発明で使用する可動床の一例の構造を示す分解斜視図である。
【図８】本発明で使用する可動床の構造用部材の説明図である。
【符号の説明】
Ａ：芯材パネル
Ｂ：車輪構造体
Ｃ：床材
Ｐ：パネル構成部
Ｋ：連結部
１：水平方向に移動可能な可動床
２：水平方向及び上下方向に移動可能な可動床
３：上下動機構
１０：構造用部材
１１：枠
１２：車輪取り付け具
１５：車輪
２０：上面
２０’：下面
３０：補強部材
４０、５０、６０、７０：突起部
【図１】
0003597123.tif 000002
【図２】
0003597123.tif 000003
【図３】
0003597123.tif 000004
【図４】
0003597123.tif 000005
【図５】
0003597123.tif 000006
【図６】
0003597123.tif 000007
【図７】
0003597123.tif 000008
【図８】
0003597123.tif 000009